(57)【要約】      （修正有）【課題】鼠等の小動物を使用して行なう薬害検証で、個別管理を行なうためにピアス方式のＩＣセンサ−を取り付ける効果的方法を提供する。【解決手段】ＩＣセンサ−本体（挿入側）１とカバ−（受け側）をそれぞれのカ−トリッジに複数個収納し、閉じた時にはＩＣセンサ−本体１とカバ−４が落下しないように支え、開いた時にはカ−トリッジ６より飛び出す用に構成された開閉機構９と、ＩＣセンサ−本体１とカバ−４が正しく圧入されるよう方向を決めるための予圧を掛ける軸１０とコイルバネ１２を有し、さらに確実に圧入するためのブッシュ１１を設けたことを特徴とするホッチキス方式の圧入工具。【選択図】図１
2009183270.tif 000002
【特許請求の範囲】
【請求項１】
ピアス方式のＩＣセンサ−等を小動物の耳や羽根等に取付けるのに、ＩＣセンサ−本体とカバ−をそれぞれのカ−トリッジに複数個装着し、ＩＣセンサ−本体とカバ−が閉じた時には落下しないように支え、開いた時にはＩＣセンサ−本体とカバ−が飛び出すように構成された開閉機構と、ＩＣセンサ−本体とカバ−が正しく圧入されるよう方向を決めるための予圧を掛ける軸とコイルバネを有し、ＩＣセンサ−本体とカバ−を確実に圧入するためのブッシュを設け、ＩＣセンサ−とカバ−が容易に圧入できることを特徴とするホッチキス方式の圧入工具。
【請求項２】
上記請求範囲において、構造を簡素化するために開閉機構の代わりに、上記カ−トリッジの先端部分にＩＣセンサ−本体ならびにカバ−の最大直径より若干大きめの長径と若干小さめの短径の楕円穴を設け、短径側に切り溝を入れることにより、ＩＣセンサ−本体とカバ−に圧力が加えられることにより切り溝が開き、ＩＣセンサ−本体およびカバ−が飛び出し、ＩＣセンサ−本体とカバ−が容易に圧入できることを特徴とするホッチキス方式の圧入工具。
【発明の詳細な説明】
【発明の詳細な説明】
【技術分野】  この発明は小動物の個別管理を行なうためのＩＣセンサ−の取付けを容易に行なえるようするためのものである。
【背景技術】  現在社会問題となっている薬害問題においては、従来よりマウス等の小動物を使用して薬害検証を行なうことが一般的に行なわれているが、日本の新薬開発現場においても年間約１億５千万匹のマウスが使用されていると想定される。この分野において従来はマウスの耳等に傷を付ける等の手段にて、個別管理が行なわれてきた。しかしながら、この方法では管理も難しく、管理できる数量も限られるため最近ではＩＣセンサ−を取り付ける方法が開発され、実用化段階に入ってきた。小動物用のＩＣセンサ−としては超小型のものが要求され、取付け方法、外れにくさより図２のようなピアス方式のＩＣセンサ−が主流になるのではないかと想定される。
本発明は超小型化されたＩＣセンサ−を容易に小動物の耳や羽根に取付けられるようにするものである。
【発明の開示】
【発明が解決しようとする課題】  図２の（１）はＩＣセンサ−本体で、ＩＣセンサ−（２）とアンテナ（３）が組み込まれている。（４）はカバ−で、ＩＣセンサ−（１）が鼠の耳等より外れないように、ＩＣセンサ−（１）に圧入される。従来このようなＩＣセンサ−を取り付けるには、図３のようにＩＣセンサ−本体（１）を手で鼠の耳等（５）に差し込み、カバ−（４）を人手にて合わせてからベンチ又はプライヤ−の様な工具にて圧入するしか取り付けようがなく、超小型になるほど取り付けに時間が掛かる、または手で取り付けられない等の技術課題があり、普及のためのネックとなっていた。
【問題を解決するための手段】
本実用新案はこれらの小型化されたＩＣセンサ−本体（１）を図４の上カ−トリッジ（６ａ）に複数個収納する。またカバ−（４）は図５の下カ−トリッジ（６ｂ）に複数個収納し、ホッチキスと同様な動きをする簡易工具に収納することにより、ワンタッチ動作により小動物の耳及び羽根等に容易にＩＣセンサ−本体（１）とカバ−（４）を圧入することができるような簡易圧入工具を提供することを目的とする。
【発明の効果】
従来技術では医薬研究所等においては取り付けに時間が掛かりすぎ、普及のネックになっていた。本発明ではＩＣセンサ−本体（１）及びカバ−（４）を製造工場等に於いて、自動装着機又は手作業にてを上カ−トリッジ（６ａ）及び下カ−トリッジ（６ｂ）に複数個挿入し、なおかつ本発明の簡易治具を使用することにより、客先での取り付け作業が容易に短時間で装着することができるようになるので、超小型ＩＣセンサ−の普及に多大に貢献することができる。
【発明を実施するための最良の方法】
以下、この発明の実施例を図１を使って説明する。
ＩＣセンサ−本体は上カ−トリッジ（６ａ）に、カバ−（４）は下カ−トリッジ（６ｂ）に複数個装着された状態にて上ケ−ス（７ａ），下ケ−ス（７ｂ）に装着される。
図４は上カ−トリッジ（６ａ）の詳細図である。同様に図５は下カ−トリッジ（６ｂ）の詳細図である。
上カ−トリッジ（６ａ）及び下カ−トリッジ（６ｂ）の後部には一体成形された折り込み式の裏蓋（６ｃ）（６ｄ）がそれぞれに設けられている。この裏蓋（６ｃ）（６ｄ）は、ＩＣセンサ−本体（１）およびカバ−（４）を複数個挿入した後に蓋をすることになる。この裏蓋（６ｃ）（６ｄ）には丸穴等の開口部が設けられ、突出し棒（１６ａ）（１６ｂ）とコイルスプリング（１７ａ）（１７ｂ）により心太のようにＩＣセンサ−本体（１）及びカバ−（４）が押し出される構造になっている。
また前部にはＩＣセンサ−本体（１）及びカバ−（４）の落下防止用の爪（６ｅ）（６ｆ）が設けられている。この爪は容易に折り取ることができるよう根元が細くなっている。
この爪（６ｅ）は上カ−トリッジ（６ａ）を上ケ−ス（７ａ）に装着する直前に折り取る。
同様に下カ−トリッジ（６ｂ）の爪（６ｆ）も下ケ−ス（７ｂ）に装着する直前に折り取ることになる。
（８ａ）（８ｂ）は上ブラケットと下ブラケットで後の軸（１８ａ）（１８ｂ）を支点として回転する。
上ケ−ス（７ａ）には後部で上ケ−スに接合され、部品の撓みにて左右に開く開閉機構２枚（９ａ）（９ｂ）が前部に設けられている。同様に下ケ−ス（７ｂ）にも後部にて下ケ−スに接合され、左右に開く開閉機構（９ｃ）（９ｄ）が前部に設けられている。
（１０ａ）（１０ｂ）はＩＣセンサ−本体（１）及びカバ−（４）を押し出すための軸である。軸にはＩＣセンサ−本体（１）及びカバ−（４）が傾くことがないように予圧を掛けるためのコイルスプリング（１２ａ）（１２ｂ）が装着されている。
（１１ａ）（１１ｂ）はＩＣセンサ−本体（１）とカバ−（４）を圧入するためのブッシュで、両側のブラケットに設けられた押し込みカバ−（１５ａ）（１５ｂ）を親指と人差し指等でさらにで閉じることにより直接ＩＣセンサ−本体（１）及びカバ−（４）に当たり、さらに閉じることによりＩＣセンサ−本体（１）の軸部分が、カバ−（４）の穴に圧入されることになる。この時コイルスプリング（１２ａ）（１２ｂ）はブッシュの中空穴に収納される。
（１３ａ）（１３ｂ）は軸（１０ａ）（１０ｂ）が抜けないようにするための、Ｅリングである。
（１４ａ）（１４ｂ）はＩＣセンサ−本体（１）とカバ−（４）の圧入寸法を調整し、なおかつブッシュが緩まないように固定するためのナットである。
（１９ａ）は上ケ−ス（７ａ）と上ブラッケット（８ａ）の間を開くための板バネ、（１９ｂ）は下ケ−スと下ブラケット（８ｂ）の間を開くための板バネである。
次に動作について説明する。
上カ−トリッジ（６ａ）は上ケ−ス（７ａ）と上ブラケット（８ａ）を開いて挿入する。
同様に下カ−トリッジ（６ｂ）は、下ケ−ス（７ｂ）と下ブラケット（８ｂ）を開いて挿入する。
図６はＩＣセンサ−本体（１）とカバ−（４）の圧入の各工程毎に説明した図である。
図６Ａは上ケ−ス（７ａ）と下ケ−ス（７ｂ）の間が開いた状態を示した図である。
鼠の耳等（５）のＩＣセンサ−本体（１）とカバ−（４）を取り付ける対象物を上ケ−ス（７ａ）と下ケ−ス（７ｂ）の間に差し込むことになる。
図６Ｂは両側のブラケット（８ａ）（８ｂ）に設けられた押し込みカバ−（１５ａ）（１５ｂ）が親指と人差し指等により閉じられ、ＩＣセンサ−本体（１）の平面部と上ケ−ス（７ａ）の開閉機構（９Ａ）（９ｂ）が接触し、カバ−（４）の平面部が下ケ−ス（７ｂ）の開閉機構（９ｃ）（９ｄ）が接触した状態を示したものである。
この時両側の軸（１０ａ）（１０ｂ）はＩＣセンサ−本体（１）とカバ−（４）の球面の頂上部と接触し、コイルスプリング（１２ａ）（１２ｂ）により予圧が掛かっている状態となっている。
よってＩＣセンサ−本体（１）とカバ−（４）は球面部を両側の軸（１０ａ）（１０ｂ）で、平面部を各２枚づつの開閉機構（９ａ）（９ｂ）（９ｃ）（９ｄ）に挟まれて予圧を掛けられることにより、圧入するべき正しい方向に位置決めされることになる。
図６Ｃは親指と人差し指でさらに押し込んだ図を示したものである。
この時上ケ−ス（７ａ）の開閉機構（９ａ）（９ｂ）の上部傾斜部がブラケット（８ａ）に接触することにより開閉機構（９ａ）（９ｂ）が徐々に開き始めることになり、開閉機構（９ａ）（９ｂ）の開閉距離がＩＣセンサ−本体（１）の最大径より開いたとき、ＩＣセンサ−本体（１）が上カ−トリッジ（６ａ）より飛び出し、先端部が鼠の耳等（５）に接触する。
同様に下ケ−ス（７ｂ）の開閉機構（９ｃ）（９ｄ）の上部の傾斜部がブラケット（８ｂ）に接触することにより開閉機構（９ｃ）（９ｄ）が徐々に開きはじめ、カバ−（４）の最大径より開いた時カバ−（４）が下カ−トリッジ（６ｂ）より飛び出し、カバ−（４）がもう片側の鼠の耳等（５）に接触する。
この状態の時には、ＩＣセンサ−本体（１）とカバ−（４）の球状頂上部は軸（１０ａ）（１０ｂ）と接触し、スプリングコイル（１２ａ）（１２ｂ）の圧縮力により鼠の耳等（５）に押しつけられている。
図６ＤはＩＣセンサ−本体（１）とカバ−（４）が圧入された状態を示した図である。
軸（１０ａ）とブッシュ（１１ａ）および軸（１０ｂ）とブッシュ（１１ｂ）が直接接触し、充分なる圧入力が得られる。
なおナット（１４ａ）（１４ｂ）を緩め，ブッシュ（１１ａ）（１１ｂ）を移動させることにより、ＩＣセンサ−本体（１）とカバ−（４）の圧入強さを調整できる。これによりＩＣセンサ−を取り付ける小動物の取り付け部分の厚み差に対応できるような構造となっている。
上記説明は請求項１に相当する明細書であるが、請求項２は上カ−トリッジ（６ａ）を図７のような構造にすることにより、開閉機構（９ａ）（９ｂ）（９ｃ）（９ｄ）を無くして構造を簡素化したものである。
図７においてカ−トリッジ（６ａ）の先端部分にＩＣセンサ−本体（１）より大きめの長径と若干小さめの短径の楕円穴を設け、短径側に切り溝（６ｇ）を設けた構成となっている。
請求項１と同様にＩＣセンサ−本体（１）は軸（１０ａ）と接触し、スプリングコイル（１２ａ）にて予圧が掛けられることになるが、その状態では切り溝（６ｇ）は開かないためＩＣセンサ−本体（１）はカ−トリッジ（６ａ）より飛び出すことはない。次にブッシュ（１１ａ）と軸（１０ａ）が直接接触することにより押しつけ力が大きくなり、切り溝（６ｇ）が開きＩＣセンサ−本体（１）が上カ−トリッジ（６ａ）より飛び出し、カバ−（４）に圧入できる構造となっている。
カバ−（４）も上記ＩＣセンサ−本体（１）と同じ構成と動きにつきここでは説明を省略する。
以上のような簡素化した構造でも、ＩＣセンサ−本体（１）とカバ−（４）を鼠の耳等（５）に圧入することは可能である。
【図面の簡単な説明】
【図１】は本発明の一実施例を示す外観形状図である。
【図２】はピアス方式のＩＣセンサ−の一実施例を示す外観図である。
【図３】は従来の圧入方法の一実施例を示す。
【図４】は本発明のＩＣセンサ−本体を収納するカ−トリッジの一実施例を示す。
【図５】は本発明のカバ−を収納するカ−トリッジの一実施例を示す。
【図６】は本発明の圧入完了工程までの詳細を示す。
【図７】は請求項２の一実施例を示す。
【符号の説明】
１はＩＣセンサ−本体、２はＩＣセンサ−、３はアンテナ、４はカバ−、５は鼠の耳等  ６ａは上カ−トリッジ、６ｂは下カ−トリッジ、７ａは上ケ−ス、７ｂは下ケ−ス、８ａは上ブラケット、８ｂは下ブラケット、９ａと９ｂは上ケ−ス側開閉機構、９ｃと９ｄは下ケ−ス側開閉機構、１０ａは上側軸、１０ｂは下側軸、１１ａは上側ブッシュ  １１ｂは下側ブッシュ、１２ａと１２ｂはスプリングコイル、１３ａと１３ｂはＥリング、１４ａと１４ｂはナット、１５ａと１５ｂは押し込みカバ−、１６ａと１６ｂは突き出し棒、１７ａと１７ｂはスプリングコイル、１８ａと１８ｂは回転軸、１９ａと１９ｂは板バネである。
【図１】
2009183270.tif 000003
【図２】
2009183270.tif 000004
【図３】
2009183270.tif 000005
【図４】
2009183270.tif 000006
【図５】
2009183270.tif 000007
【図６】
2009183270.tif 000008
【図７】
2009183270.tif 000009